(57)【特許請求の範囲】
【請求項１】
塀の上端面に沿って配置され、該塀の上端面に固定される板状の部材である底部材と、
対向するように所定の間隔を有して配置される２つの板状の部材であり、前記底部材の板面に対して立設する方向に前記底部材に固定される側面板と、を有し、
前記２つの側面板間には収納空間が形成され、
前記底部材と前記側面板との間には開口である排水開口が形成されており、
前記底部材には、前記排水開口を流下した水を切る部位である水切り部が設けられ、前記水切り部は前記収納空間から離隔する方向に延びる部位である、
植木用容器の保持装置。
【請求項２】
前記水切り部は前記排水開口の縁に設けられており、
前記塀に設置された姿勢で前記排水開口は前記塀の立設面から離隔した位置となる部位に設けられている、請求項１に記載の植木用容器の保持装置。
【請求項３】
前記底部材と前記側面板とは、間隙を有して連結部材により互いに連結して固定され、前記排水開口が前記間隙により形成され、前記間隙を形成する前記底部材の端部に前記水切り部が設けられている、請求項１又は２に記載の植木用容器の保持装置。
【請求項４】
前記水切り部は、側面視で前記側面板により隠蔽される位置に配置される、請求項１〜３のいずれか一項に記載の植木用容器の保持装置。
【発明の詳細な説明】
【技術分野】
【０００１】
本発明は、植物が植えられた植木鉢やプランター等の植木用容器を、建物の仕切り等に用いられる塀の上端に保持するための保持装置に関する。
【背景技術】
【０００２】
近年における地球環境に対する意識の高まりから、様々な分野で環境に対する負荷を低減する取り組みが行われている。住宅分野においても同様であり、環境にやさしい住宅について色々な角度から検討されている。
ユーザーがイメージする「環境にやさしい住宅」には多くの意見があるが、いわゆる断熱性や日当たり等住宅内環境の高機能化だけでなく、緑にあふれ、多様な生物が身近に生息する自然豊かな住宅であることを重要視する人も多く、緑にあふれた自然の豊かさが求められている。
【０００３】
これに関連してガーデニング等の園芸が一般的になり、庭等に直接各種植物を植えたり、植物が植えられた植木鉢やプランター等の植木用容器を多数並べたりして、自然を採り入れ、豊かな居住環境を創出している。
【０００４】
このように植物が植えられた植木用容器を庭等に多数並べる際に、住宅のブロック塀の上端にこれらを配置している光景を目にすることがある。塀の上端に植木を配置することにより人の目の高さ近くに植物が配置されるとともに塀の上端が縁どられて美観の効果がある。
【０００５】
しかしながら一方で、強風や人の接触等により植木用容器が落下する虞もあった。落下により人、建物、塀、植木そのもの等が傷つくこともあり、回避すべきことである。
【０００６】
これに対して特許文献１、２には塀の上端に植木用容器を配置するに際し、落下を防止することができる装置が開示されている。
【先行技術文献】
【特許文献】
【０００７】
【特許文献１】特開２０１０−９４１１９号公報
【特許文献２】特開平１１−３４６８８９号公報
【発明の概要】
【発明が解決しようとする課題】
【０００８】
これら先行技術によれば落下を防止して植木用容器を塀の上端に配置することが可能となる。しかしながら、上記のような従来技術では、植木に水を与えた際にその排水が塀の上端から該塀の立設面を伝わって地面にまで落下するので塀の立設面が汚れてしまう問題があった。塀の汚れは建物の外観に影響を与えることがあり、回避したいことである。
【０００９】
そこで本発明は、上記の問題点に鑑み、植木用容器の保持装置であって、塀を汚してしまうことを抑制することができる保持装置を提供することを課題とする。
【課題を解決するための手段】
【００１０】
以下、本発明について説明する。ここではわかりやすさのため、図面の参照符号を括弧書きで付記するが、本発明はこれに限定されるものではない。
【００１１】
請求項１に記載の発明は、塀（１）の上端面に沿って配置され、該塀の上端面に固定される板状の部材である底部材（１１）と、対向するように所定の間隔を有して配置される２つの板状の部材であり、底部材の板面に対して立設する方向に底部材に固定される側面板（１２）と、を有し、２つの側面板間には収納空間（１０ａ）が形成され、底部材と側面板との間には開口である排水開口（１８）が形成されており、底部材には、排水開口を流下した水を切る部位である水切り部（１１ｅ）が設けられ、水切り部は収納空間から離隔する方向に延びる部位である、植木用容器の保持装置（１０）である。
【００１２】
請求項２に記載の発明は、請求項１に記載の植木用容器の保持装置（１０）において、水切り部（１１ｅ）は排水開口（１８）の縁に設けられており、塀（１）に設置された姿勢で排水開口は塀の立設面から離隔した位置となる部位に設けられているものである。
【００１３】
請求項３に記載の発明は、請求項１又は２に記載の植木用容器の保持装置（１０）において、底部材（１１）と側面板（１２）とは、間隙を有して連結部材（１３）により互いに連結して固定され、排水開口（１８）が間隙により形成され、間隙を形成する底部材の端部に水切り部（１１ｅ）が設けられているものである。
【００１４】
請求項４に記載の発明は、請求項１〜３のいずれか一項に記載の植木用容器の保持装置（１０）において、水切り部（１１ｅ）は、側面視で側面板（１２）により隠蔽される位置に配置されるものである。
【発明の効果】
【００１５】
本発明によれば、植物が植えられた植木用容器を塀の上端面に安定して保持することができる。さらに、底部材と側面板との間に排水開口を設け、水切り部を有しているので、塀が排水により汚されることを大きく抑制することが可能となる。
【図面の簡単な説明】
【００１６】
【図１】１つの実施形態にかかる植木用容器の保持装置が設置された塀構造を示した斜視図である。
【図２】植木用容器の保持装置の斜視図である。
【図３】植木用容器の保持装置の一部の部材を分解して示した分解斜視図である。
【図４】図２にＩＶ−ＩＶで示した線に沿った断面図であり、塀に配置された場面を示した図である。
【図５】植木用容器の保持装置の分解断面図である。
【図６】図４にＶＩで示した範囲を拡大した図である。
【図７】図４と同様の視点で植木用容器の保持装置を表した図であり、収納空間内に植木用容器が収納された状態の図である。
【図８】植木用容器の保持部材の幅方向一方側端部の排水開口付近に注目して示した図で、排水経路を例示した図である。
【発明を実施するための形態】
【００１７】
本発明のこのような作用及び利得は、次に説明する発明を実施するための形態から明らかにされる。以下本発明を図面に示す実施形態に基づき説明する。ただし、本発明はこれら実施形態に限定されるものではない。
【００１８】
図１は、１つの実施形態にかかる植木用容器の保持装置１０（以下、「保持装置１０」と記載することがある。）が塀１の上端に配置された塀構造を表した斜視図である。図１からわかるように、保持装置１０は、その内側に植木用容器である植木鉢２を収納可能とされた収納空間１０ａが具備された、上部が開口した箱状の部材であり、植木鉢２を塀の上端面に保持することができるように構成された装置である。
【００１９】
図２は保持装置１０の斜視図、図３は保持装置１０の一部の部材を分解して示した分解斜視図である。図４は図２にＩＶ−ＩＶで示した線に沿った断面図であり、塀１に配置された場面を示した図、図５は図４に示した断面における保持装置１０の分解断面図である。以下、図２〜図５、及び適宜示す図を参照しつつ保持装置１０について説明する。
【００２０】
保持装置１０は、底部材１１、側面板１２、連結部材１３、及び端面板１４を有している。
【００２１】
底部材１１は、図２、図３からわかるように全体として長尺の板状の部材であり、保持装置１０が組み上げられた状態で箱状のうちの底部を形成する部材である。底部材１１は図４、図５に表される断面を有しつつ、長手方向に延びるような形態である。
底部材１１は、図４、図５に表される断面において、底板１１ａを有しており底板１１ａの一方の面側（塀１に設置した姿勢で塀１の端面に対向する側の面。）に片１１ｂが設けられている。
【００２２】
片１１ｂは、当該断面において底板１１ａの幅方向（底部材１１の長手方向に直交する方向で、板幅方向）の一方側と他方側のそれぞれに配置されている。そしてそれぞれの片１１ｂは、底板１１ａの面から垂下して又は斜めに、突出するように配置される立ち上げ部１１ｃ、立ち上げ部１１ｃの一端側から底板１１ａの幅方向外側に向けて延びる延材部１１ｄ、及び延材部１１ｄの端部から底板１１ａに対して離隔する方向に延びる水切り部１１ｅを有している。
すなわち片１１ｂは、底板１１ａの幅方向端部と合わせることにより底部材１１の幅方向に開口するような溝部１１ｆを形成する。
【００２３】
ここで、水切り部１１ｅは後述するように、排水を塀１の立設面に接触させないように導く機能を有している。図５にＶで示した（図６にもＶで示した。）水切り部１１ｅの大きさは特に限定されることはないが、３ｍｍ以上であることが好ましい。水切り部１１ｅの大きさがこれより小さくなると、水を切る機能（水が部材に回り込んで塀１側に伝わってしまうことを防止する機能）が低い虞がある。一方、水切り部１１ｅが大きい分には水を切る機能は高いので問題がないが、水切り部１１ｅが大きすぎると外観に与える影響が大きくなるので１５ｍｍ以下であることが好ましい。
【００２４】
このような底部材１１は公知の方法により製造することができる。本実施形態ではアルミニウムの押し出し加工により形成した。
【００２５】
側面板１２は、図２、図３からわかるように全体として長尺の２つの板状の部材であり、保持装置１０が組み上げられた状態で保持装置１０の箱状のうち長手方向の両側面を形成する。側面板１２は図４、図５に表される断面を有しつつ、長手方向に延びるような形態である。
側面板１２は全体としては上記したように板状の部材であるが、軽量化のため中空とされている。ただし側面板１２の断面形状は特に限定されることなく、中実であってもよい。
【００２６】
また、側面板１２は保持装置１０の外観を向上させるため、その表面はいわゆる意匠面とされていることが好ましい。すなわち、表面に模様や色彩が施されている。
【００２７】
このような側面板１２は公知の方法により製造することができる。本実施形態では、アルミニウムの押し出し加工により形成し、その長手方向両端に端部部材であるキャップ（不図示）を装着して形成する。また、押し出し加工後に表面を意匠面にする加工を施す。
【００２８】
連結部材１３は、図２〜図４からわかるように、断面において略直交する２つの片を有する断面Ｌ字状の部材であり、後述するように底部材１１に側面板１２を所定の関係を保持して取り付ける部材である。
【００２９】
端面板１４は、図２、図３からわかるように板状の部材であり、保持装置１０が組み上げられた状態で保持装置１０の箱状のうち長手方向の両端面を形成する。端面板１４の断面は図示していないが、側面板１２と同様の形態を適用することができる。
【００３０】
また、端面板１４も側面板１２と同様に保持装置１０の外観を向上させるため、その表面はいわゆる意匠面とされていることが好ましい。すなわち、表面に模様や色彩が施されている。
【００３１】
このような端面板１４は公知の方法により製造することができる。本実施形態では、アルミニウムの押し出し加工により形成し、その長手方向両端に端部部材であるキャップ（不図示）を装着して形成する。また、押し出し加工後に表面を意匠面とする加工を施す。
【００３２】
以上のような構成部材を有する保持装置１０は、これら各部材が例えば次のように組み合わせられて構成されている。
すなわち、底板１１ａの面のうち片１１ｂが配置されていない側の面の幅方向両端に所定の間隔で複数の連結部材１３が固定されている。詳しくは、各連結部材１３は、Ｌ字状である２つの片のうち一方の片が底板１１ａに重ねられ、ねじ等の固定部材１６により底部材１１に固定される。このとき、各連結部材１３の他方の片は底板１１ａの幅方向外側となるように配置される。
【００３３】
側面板１２は、連結部材１３の他方の片のうち、幅方向外側の面に、側面板１２の１つの面を重ねるように取り付けられる。当該取り付けは、ねじ等の固定部材１７により行われる。これにより２つの側面板１２は、所定の間隔を有して対向するように、底部材１１の板面に対して立設する方向に該底部材１１に固定された形態となる。
【００３４】
ここで、底部材１１、側面板１２、及び連結部材１３の位置関係は次の通りであることが好ましい。図６には図４にＶＩで示した範囲を拡大した図を示した。
すなわち、図２、図３、図６に符号１８で示したように、底部材１１と側面板１２との間には開口である排水開口１８が設けられている。本実施形態では、排水開口は底板１１ａと側面板１２との間隙、及び片１１ｂと側面板１２との間隙により形成されている。後述するように当該排水開口１８を排水されるべき水が流下して排水がおこなわれる。そして排水開口１８を形成する縁に水切り部１１ｅが設けられる形態である。
また、図６にＶＩａで示した方向である側面視において、側面板１２が連結部材１３及び水切り部１１ｅの全部を隠蔽するように、側面板１２を配置することが好ましい。これにより、水切り部１１ｅを目視から隠すことができ、さらに外観に優れた保持装置とすることができる。
また、底部材１１と連結部材１３とを固定する固定部材１６は、図６からわかるように、その一端が溝部１１ｆ内に突出していることが好ましい。これにより後述するように固定部材１６から伝わって流下した水も適切に排出することができる。
【００３５】
端面板１４は、底部材１１、側面板１２の長手方向両端に配置され、固定されている。
【００３６】
従って、保持装置１０には、側面板１２間に底部材１１を底とした収納空間１０ａが形成されている。そして、水切り部１１ｅは該収納空間１０ａから離隔する方向に延びるように設けられたものとなる。
【００３７】
以上のように構成された保持装置１０は、例えば次のように塀１の上端に固定されて塀構造とされている。すなわち、図４に表れているように、底部材１１が塀１の上端面に沿って配置され、該底部材１１を貫通させたねじ等の固定部材１５により塀１の上端面に固定されている。
これにより、塀１の上端に植木用容器２を収納することができる収納空間１０ａを有する塀構造となる。その際には排水開口１８は保持装置１０の底部に位置づけられるとともに、水切り部１１ｅは下方に延びるものとなる。
【００３８】
このとき、図４にＩＶａで示したように、排水開口１８と、塀１の立設面との間が所定の大きさ以上の間隔を有するものとされる。これにより後述するように、排水が塀１の立設面を伝わって落下することが抑制される。当該所定の大きさは特に限定されることはないが、１０ｍｍ以上であることが好ましい。この間隔が１０ｍｍより小さいと排水開口１８から流下した水が塀１の立設面に接触してしまう可能性が高くなる。一方、この間隔が大きい分には塀１の立設面から離隔するので、排水開口１８から流下した水が塀１の立設面に接触する可能性は小さくなる。しかしながら、この間隔が大きすぎると保持装置の幅が塀の厚さに対して大きくなりすぎ、装置設置の安定性の問題、及び敷地境界への影響があることから、間隔は３０ｍｍ以下であることが好ましい。
【００３９】
次に、保持装置１０の作用について説明する。図７は図４と同様の視点で保持装置１０を表した図であり、収納空間１０ａ内に植木用容器（植物が植えられた植木鉢）２が収納された状態の図である。
保持装置１０により、図１及び図７からわかるように、塀１の上端面に植木用容器２を安定して置くことができる。すなわち、側面板１２は、植木用容器２が塀１の上端面からの落下することを防止する。また、植木用容器２の大部分が収納空間１０ａ内に隠蔽されて配置されることになるので、複数の大小様々なタイプの植木用容器を用いたとしても外観からは植木用容器があまり見えず、植物が保持装置１０の上部から上にのびて見えるので植物の特徴を際立たせることもできる。
【００４０】
さらに、保持装置１０では、水やりや雨水等により収納空間１０ａにたまった水が、図７に矢印ＶＩＩ、図８に矢印ＶＩＩＩａ、ＶＩＩＩｂで示したように排水される。図８は、保持部材１０の幅方向一方側端部の排水開口１８付近に注目して示した図で、排水経路を矢印ＶＩＩＩａ、ＶＩＩＩｂで例示した図である。
矢印ＶＩＩ、ＶＩＩＩａで示した経路で排水される水は、底板１１ａの上面を伝わって、排水開口１８に達し、該開口から流下する水である。このとき、排水開口１８が図４にＩＶａで示したように塀１の立設面に対して所定の間隔を有していること、及び排水開口１８の縁には水切り部１１ｅが設けられていることから、当該排水は塀１の立設面に接触することなく地面に流下することが可能となる。従って、塀１が排水により汚される機会を大きく抑制することができる。
また、矢印ＶＩＩＩｂで示した経路で排水される水は、底板１１ａから固定部材１６を伝わって溝１１ｆ内に達し、その後排水開口１８から排水されるものである。本実施形態ではこのような水も塀１の立設面に接触する機会が大きく低減される。
【００４１】
以上１つの実施形態について説明したが、本発明はこの実施形態に限定されず、さらなる特徴を有する構成や変形した形態も本発明の範囲とすることができる。例えば次のような構成や形態を挙げることができる。
【００４２】
上記説明した底板１１ａは排水開口１８に向けて低くなるような傾斜を有していてもよい。これによれば、収納空間１０ａ内の水が排水開口１８に向けてより流れやすくなり、効率的で円滑な排水ができる。
【００４３】
本実施形態の保持装置１０に備えられた水切り部１１ｅは鉛直下方に延びる形態であるが、これに限定されることはなく、水切りとしての機能を有してればよい。例えば、水切り部が鉛直下方でなく、鉛直下方かつ塀１の立設面から離隔するように斜めに延びている形態であってもよい。
この場合、例えば水切り部の上端部は塀の立設面と概ね同じ位置であっても、水切り部の下端部が塀の立設面から離隔した位置となる形態とすることができる。
【００４４】
本実施形態の保持装置１０では、保持装置１０の長手方向全長に亘って、底部材１１と側面板１２との間に所定の間隙を設けることにより排水開口１８を形成した。しかしながらこれに限定されることなく、長手方向の少なくとも一部にこのような排水開口が形成されていればよい。
【００４５】
また本実施形態の保持装置１０では、底部材１１に片１１ｂを設け、底板１１ａと側面板１２との間隙、及び片１１ｂと側面板１２との間隙により排水開口１８を形成し、片１１ｂに水切り部１１ｅを設けた。しかしながら本発明の排水開口はこれに限定されるものではない。これには例えば片１１ｂを設けることなく、底板１１ａと側面板１２との間隙のみにより排水開口を形成し、底板１１ａに水切り部を設ける形態を挙げることができる。
【符号の説明】
【００４６】
１  塀
２  植木用容器
１０  植木用容器の保持装置
１０ａ  収納空間
１１  底部材
１１ｅ  水切り部
１２  側面板
１３  連結部材
１４  端面板
１８  排水開口
【図１】
0005869926.tif 000002
【図２】
0005869926.tif 000003
【図３】
0005869926.tif 000004
【図４】
0005869926.tif 000005
【図５】
0005869926.tif 000006
【図６】
0005869926.tif 000007
【図７】
0005869926.tif 000008
【図８】
0005869926.tif 000009